(57)【要約】【課題】従来の金属製板状草刈刃とプラスチック製線材を有する回転盤を、草刈場所の状況や目的に応じた取り換え作業を必要とせず、容易に切り換えて使い分けることができると共に、ベースとなる板状草刈刃に多数の貫孔を必要としない草刈別機能付加部材及び草刈刃を提供する。【解決手段】板状のベース刃１に対してその上面１ａ又は下面１ｂに接触状にかつ着脱自在に取着される金属板製の取付部材３と、取付部材３の両端部３ｃ，３ｄに固着されて外径方向Ｒを向いた孔７を有する保持具４と、保持具４の孔７に挿入されるプラスチック製刈払線材５とを、備えている。【選択図】図５
2008173056.tif 000002
【特許請求の範囲】
【請求項１】
板状のベース刃（１）に対してその上面（１ａ）又は下面（１ｂ）に接触状にかつ着脱自在に取着される金属板製の取付部材（３）と、該取付部材（３）の両端部（３ｃ）（３ｄ）に固着されて外径方向（Ｒ）を向いた孔（７）を有する保持具（４）と、該保持具（４）の上記孔（７）に挿入されるプラスチック製刈払線材（５）とを、備えたことを特徴とする草刈別機能付加部材。
【請求項２】
上記ベース刃（１）を保持して回転駆動力を伝達する回転ボス部（12）への草等の巻き付を防止するための巻き付防止用起立片（６）を有する請求項１記載の草刈別機能付加部材。
【請求項３】
周囲に固定刃を有する草刈用の板状のベース刃（１）と、該ベース刃（１）に着脱自在に取着される草刈別機能付加部材（２）から構成され、該草刈別機能付加部材（２）は、上記ベース刃（１）に対してその上面（１ａ）又は下面（１ｂ）に接触状にかつ着脱自在に取着される金属板製の取付部材（３）と、該取付部材（３）の両端部（３ｃ）（３ｄ）に固着されて外径方向（Ｒ）を向いた孔（７）を有する保持具（４）と、該保持具（４）の上記孔（７）に挿入されるプラスチック製刈払線材（５）とを、備えたことを特徴とする草刈刃。
【請求項４】
上記草刈別機能付加部材（２）は、上記ベース刃（１）を保持して回転駆動力を伝達する回転ボス部（12）への草等の巻き付を防止するための巻き付防止用起立片（６）を有する請求項３記載の草刈刃。
【発明の詳細な説明】
【技術分野】
【０００１】
本発明は、草刈別機能付加部材及び草刈刃に関するものである。
【背景技術】
【０００２】
従来の草刈刃は、外周に多数の歯部を有する金属製円板状のものや、あるいは、回転盤からプラスチック線材が外径方向へ延伸して刈払刃を成すものが知られている。
また、特許文献１のような板状の草刈刃に取着具にてプラスチック線材を取り付けるものがある。
【０００３】
しかし、草刈刃と刈払刃の付け替えは時間と手間がかかる。また、特許文献１のような板状の草刈刃に取着具を取り付けるためには、板状草刈刃本体に多数の貫孔を必要とするうえに貫孔の大きさやピッチによっては取り付けができないという欠点があった。
さらに、従来の草刈刃及び刈払刃は、作業中に草刈刃及び刈払刃を保持して回転駆動を伝達する回転ボス部に草等が巻き付いて作業効率を低下させると共に、作業終了後に回転ボス部の清掃作業が必要となり手間がかかるといった問題もあった。
【特許文献１】実願２００６−００５９１６号公報
【発明の開示】
【発明が解決しようとする課題】
【０００４】
上述の従来の金属製板状草刈刃とプラスチック製線材を有する回転盤を、草刈場所の状況や目的に応じた取り換え作業を必要とせず、容易に切り換えて使い分けることができると共に、ベースとなる板状草刈刃に多数の貫孔を必要としない草刈別機能付加部材及び草刈刃を提供することを目的とする。
さらに、ベースとなる草刈刃を保持して回転駆動を伝達する回転ボス部に草等の巻き付を防止する草刈別機能付加部材及び草刈刃を提供することを他の目的とする。
【課題を解決するための手段】
【０００５】
そこで、本発明に係る草刈別機能付加部材は、板状のベース刃に対してその上面又は下面に接触状にかつ着脱自在に取着される金属板製の取付部材と、該取付部材の両端部に固着されて外径方向を向いた孔を有する保持具と、該保持具の上記孔に挿入されるプラスチック製刈払線材とを、備えたものである。
【０００６】
また、本発明に係る草刈別機能付加部材は、上記ベース刃を保持して回転駆動力を伝達する回転ボス部への草等の巻き付を防止するための巻き付防止用起立片を有するものである。
【０００７】
また、本発明に係る草刈刃は、周囲に固定刃を有する草刈用の板状のベース刃と、該ベース刃に着脱自在に取着される草刈別機能付加部材から構成され、該草刈別機能付加部材は、上記ベース刃に対してその上面又は下面に接触状にかつ着脱自在に取着される金属板製の取付部材と、該取付部材の両端部に固着されて外径方向を向いた孔を有する保持具と、該保持具の上記孔に挿入されるプラスチック製刈払線材とを、備えたものである。
【０００８】
また、本発明に係る草刈刃の上記草刈別機能付加部材は、上記ベース刃を保持して回転駆動力を伝達する回転ボス部への草等の巻き付を防止するための巻き付防止用起立片を有するものである。
【発明の効果】
【０００９】
本発明は、次のような著大な効果を奏する。
本発明の草刈別機能付加部材及び草刈刃によれば、ベース刃を使用する草刈作業とプラスチック製刈払線材を使用する草払作業の切換を安全で迅速かつ容易にできる。また、板状のベース刃に取着される取付部材を取着するための孔や凹凸を有する必要がないため、低コストで製作可能である。また、ベース刃を保持して回転駆動を伝えるボス部に従来の草刈刃を着脱する工具のみあれば容易に着脱可能なので、新たな工具を必要とせず便利で経済的である。
さらに、草刈作業（または草払作業）中の回転ボス部に草等が巻き付いて（雪だるま式に絡まりが大きくなって）作業が邪魔されることを、防ぐことができるので作業の効率があがる。また、作業終了後に回転ボス部に食い込むようにして巻き付いた草等を除去する清掃作業を必要としないため作業全般の効率があがる。
【発明を実施するための最良の形態】
【００１０】
以下、実施の形態を示す図面に基づき、本発明を詳細する。
図１は板状のベース刃１であって、円板状の基体部13の外周に、超硬チップ14ａをロウ付けした、多数の歯部14を一体に有している。あるいは、基体部13の外周に直接歯部を形成しても良い。中心にはベース刃１を保持して回転駆動を伝える回転ボス部12に取り付けるためのボス孔11を形成している。
【００１１】
図２は取付部材３であって、鋼鉄製の板材を菱形状に成形して面取りした略菱形の形状であって、中心には回転ボス部12に取り付けるための取付孔８を貫通形成している。そして、取付孔８はベース刃１のボス孔11より僅かに大きく又は、同一に設定している。また、取付孔８に回転ボス部12に取り付けた際に図２（ｂ）のように（回転ボス部12を保護するように）表面３ａ側に断面が起立した起立片６を左右対称に２箇所設けている。起立片６は取付部材３と一体状に成形されている。また、表面３ａからの起立角度を起立角αとして、起立角αを30°〜60°に設定し、望ましくは、略45°に設定する。また、取付部材３の両端部３ｃ，３ｄには樹脂製の保持具４が各々固着されている。保持具４は、図２（ｃ）のように、正面視略楕円形のブロック状に形成され、楕円の長手方向に側面４ａ，４ｂを形成している。また、各々の保持具４は側面４ｂを外径方向Ｒに向けて、表面３ａに皿頭ねじ９と袋ナット10にて各々２箇所で固着されている。皿頭ねじ９は取付部材３の裏面３ｂから挿通している。また、保持具４は刈払線材５を抜き差し自在に差し込む孔７が外径方向Ｒに貫設されている。また、保持具４の外径方向Ｒの側面４ｂ側の孔７の口部は図２（ａ）に示すように両側に拡開するラッパ状に形成される。
【００１２】
図３は線材５であって、四角柱形状の柱部16と、円柱形状の膨出頭部15が形成されている。膨出頭部15は保持具４の孔７よりも大きく設定し、柱部16は孔７より小さく設定している。柱部16は二辺の対称位置の稜線部18ａに複数の凹凸が柱部16の先端20から55％〜75％の長さに所定のピッチで形成された凹凸部18と、残部17と、を有する。
【００１３】
また、取付部材３の保持具４の孔７に線材５の先端20を外径方向Ｒに挿通して付設させることで、草刈別機能付加部材２としている。
【００１４】
また、草刈用の板状ベース刃１に対して草刈別機能付加部材２は着脱自在に取着して使用される。つまり、ベース刃１の上面１ａと、草刈別機能付加部材２の取付部材３の裏面３ｂと、を接触状にして、ベース刃１のボス孔11と、取付部材３の取付孔８と、同心状となるように配置する。そして、草刈機（または刈払機）のベース刃１を保持して回転駆動力を伝達する回転ボス部12への、従来の草刈刃（又は刈払刃）の取付方法を利用して、着脱自在にベース刃１と草刈別機能付加部材２とを取着して草刈刃としている。
【００１５】
なお、本発明は、設計変更可能であって、例えば、ベース刃１は円盤状に限らず、十字状や星状でもよい。また、草刈別機能付加部材２はベース刃１の下面１ｂに取付部材３の裏面３ｂを接触状にして回転ボス部12に取り付けても良い。保持具４は樹脂製に限らず金属製（アルミ等）でも良い。また取付部材３は保持具４を皿頭ねじ９と袋ナット10で固着しているが、保持具４を一体成形した金属製品や樹脂製品でも良い。
【００１６】
上述した本発明に係る草刈別機能付加部材２の作用（使用方法）を図４及び５に示して説明する。まず、使用方法は、取付部材３の保持具４の孔７に線材５を（先端20を外径方向Ｒに向けて）挿通させて付設した草刈別機能付加部材２を、ベース刃１の上面１ａと、取付部材３の裏面３ｂと、を接触状にし、ベース刃１のボス孔11に取付部材３の取付孔８を同心状となるように配置して、草刈機（または刈払機）のベース刃１を保持して回転駆動力を伝達する回転ボス部12に取り付ける。次に草刈機（または刈払機）の電源を入れ、ベース刃１及び草刈別機能付加部材２を回転させて草刈作業または刈払作業をおこなう。壁沿いや大きな石等の固体物周辺は線材５にて作業をおこない。小枝や背の高い草は線材５を取り外し、ベース刃１にて作業をおこなう。
作業時は、草刈別機能付加部材２はベース刃１と共に回転しており、起立片６が回転ボス部12の周囲を保護し囲むように回転する。言い換えれば、回転による起立片６の回転軌跡が、回転中心部を火口に見立てた山状の壁を形成する。即ち、外径方向Ｒからの、草や草の茎や根、紐や帯や針金等（本発明では草等、と呼ぶ）が回転ボス部12に接触せず、回転ボス部12に絡まることがない。また、上述した図２（ｂ）のように起立片６は、取付部材３の表面３ａに山の裾野のように傾斜して起立しているので、草等は起立片６自体にも絡まることがない。
また、保持具４は回転中心部に対称に配置されているので、線材５にかかる草払いの抵抗を均一にできる。また、保持具４を取付部材３の裏面３ｂから皿頭ねじ９にて固着することで、万が一緩んでも、皿頭ねじ９はベース刃１の上面１ａと取付部材３の裏面３ｂに挟まれているので、皿頭ねじは離脱しない。
また、線材５は遠心力によって外径方向Ｒへ引っ張りの力を受けるが、膨出頭部15の端面15ａが保持具４の側面４ａに当接して抜け止めの役目を果たし線材５は離脱しない。また、線材５は円周方向の回転力や草等にあたることで、力を受けるが、保持具４の孔７の側面４ｂの口部は上述したようにラッパ状に形成されているため、線材５が応力集中により折損するのを防止している。また、凹凸部18を省略した残部17を上述したように形成しているので、保持具４に挿通されている残部17は強度の減少がなく、耐久性が大きく容易に破損することがない。また、壁沿いや大きな石等の固定物周辺作業の際、線材５が壁や固定物に接触しても、線材５は外径方向Ｒ方向に往復自由なので、回転中心方向に線材５が被接触体と線材５に無理な負荷や損傷を与えないように後退する。
【００１７】
以上のように本発明は、板状のベース刃１に対してその上面１ａ又は下面１ｂに接触状にかつ着脱自在に取着される金属板製の取付部材３と、取付部材３の両端部３ｃ，３ｄに固着されて外径方向Ｒを向いた孔７を有する保持具４と、保持具４の孔７に挿入されるプラスチック製刈払線材５とを、備えているので、ベース刃１を使用する草刈作業とプラスチック製刈払線材５を使用する草払作業の切換を安全で迅速かつ容易にできる。つまり、作業場所や、対象物（草や小枝）に合わせた作業が容易におこなえる。即ち、作業者への安全性を向上するだけでなく、草刈機（または刈払機）への負荷を軽減して機械自体や、ベース刃１や線材５の寿命を延ばしている。また、従来の草刈機（または刈払機）に従来の草刈刃（または刈払刃）を取り付ける工具があれば、新規の工具を必要とせず経済的で便利である。
【００１８】
また、ベース刃１を保持して回転駆動力を伝達する回転ボス部12への草等の巻き付を防止するための巻き付防止用起立片６を有しているので、回転ボス部12へ草等が巻き付いて（雪だるま式に嵩張る）作業の邪魔になるのを防ぐので、作業の手間（絡まった草等の除去）が省かれ、大幅に作業効率があがる。また、作業終了後に回転ボス部12を清掃する手間も省かれ、メンテナンス時間も短縮できる。また、湿った草等が巻き付いたままにならないので、回転ボス部12周辺の錆びや汚れを軽減できる。また、起立片６は回転することでボス部12を囲むように保護するので、停止状態では囲んでおらず、ボス部12への工具の係止を容易にし取付作業が容易にできる。
【００１９】
また、周囲に固定刃を有する草刈用の板状のベース刃１と、ベース刃１に着脱自在に取着される草刈別機能付加部材２から構成され、草刈別機能付加部材２は、ベース刃１に対してその上面１ａ又は下面１ｂに接触状にかつ着脱自在に取着される金属板製の取付部材３と、取付部材３の両端部３ａ，３ｂに固着されて外径方向Ｒを向いた孔７を有する保持具４と、保持具４の孔７に挿入されるプラスチック製刈払線材５とを、備えているので、ベース刃１を使用する草刈作業とプラスチック製刈払線材５を使用する草払作業の切換を安全で迅速かつ容易にできる。つまり、作業場所や、対象物（草や小枝）に合わせた作業が容易におこなえる。即ち、作業者への安全性を向上するだけでなく、草刈機（または刈払機）への負荷を軽減して機械自体や、ベース刃１や線材５の寿命を延ばしている。また、従来の草刈機（または刈払機）に従来の草刈刃（または刈払刃）を取り付ける工具があれば、新規の工具を必要とせず経済的で便利である。
【００２０】
上記草刈別機能付加部材２は、ベース刃１を保持して回転駆動力を伝達する回転ボス部12への草等の巻き付を防止するための巻き付防止用起立片６を有しているので、回転ボス部12へ草等が巻き付いて（雪だるま式に嵩張る）作業の邪魔になるのを防ぐので、作業の手間（絡まった草等の除去）が省かれ、大幅に作業効率があがる。また、作業終了後に回転ボス部12を清掃する手間も省かれ、メンテナンス時間も短縮できる。また、湿った草等が巻き付いたままにならないので、回転ボス部12周辺の錆びや汚れを軽減できる。また、起立片６をは回転することでボス部12を囲むように保護するので、停止状態では囲んでおらず、ボス部12への工具の係止を容易にし取付作業が容易にできる。
【図面の簡単な説明】
【００２１】
【図１】ベース刃の一例を示す図であり、（ａ）は平面図であり、（ｂ）は断面正面図である。
【図２】取付部材の一例を示す図であり、（ａ）は平面図であり、（ｂ）は断面正面図であり、（ｃ）は斜視図である。
【図３】線材の一例を示す図であり、（ａ）一部断面平面図であり、（ｂ）は要部断面図である。
【図４】組立形態を示す平面図である。
【図５】断面図である。
【符号の説明】
【００２２】
１  ベース刃
１ａ  上面
１ｂ  下面
２  草刈別機能付加部材  
３  取付部材
３ｃ  端部
３ｄ  端部
４  保持具
５  線材
６  起立片
７  孔
12  回転ボス部
Ｒ  外径方向
【図１】
2008173056.tif 000003
【図２】
2008173056.tif 000004
【図３】
2008173056.tif 000005
【図４】
2008173056.tif 000006
【図５】
2008173056.tif 000007